(57)【要約】【課題】薄い簡単な構造で各種の光ピックアップ部品に対する結露防止および結露にて生じた水滴の除去、さらには埃除去をも図ることができる光ピックアップ装置を提供すること。【解決手段】光源１０およびこの光源１０からの光を外部の光ディスクＤの情報記録面上に集光するための光学部品を含む光ピックアップ部品と、壁部にて囲まれ前記光ピックアップ部品を収納するハウジング２０と、線状のヒータとを備え、ハウジング２０は、壁部に貫通孔を有し、ヒータは、貫通孔に挿入されてハウジング２０内に露出するように配置された光ピックアップ装置を提供することにより、上記課題を解決する。【選択図】図１
2007073097.tif 000002
【特許請求の範囲】
【請求項１】
光源およびこの光源からの光を外部の光ディスクの情報記録面上に集光するための光学部品を含む光ピックアップ部品と、壁部にて囲まれ前記光ピックアップ部品を収納するハウジングと、線状のヒータとを備え、
前記ハウジングは、前記壁部に貫通孔を有し、
前記ヒータは、前記貫通孔に挿入されてハウジング内に露出するように配置されたことを特徴とする光ピックアップ装置。
【請求項２】
ハウジングの外部から貫通孔を通してハウジング内へエアー流を供給するためのエアー流発生機をさらに備えた請求項１に記載の光ピックアップ装置。
【請求項３】
貫通孔が光ピックアップ部品の近傍位置に配置された請求項１または２に記載の光ピックアップ装置。
【請求項４】
ハウジングの壁部が、底壁、周囲壁および底壁と対向する上壁を有し、光ピックアップ部品が底壁または上壁に固定され、貫通孔は光ピックアップが固定された反対側の上壁または底壁に形成された請求項１〜３のいずれか１つに記載の光ピックアップ装置。
【請求項５】
前記エアー流をハウジング内へ導くためのパイプをさらに備え、
前記パイプは、一端が前記貫通孔に接続され、他端がエアー流発生機の送風口に接続され、少なくとも他端側が可撓性を有する請求項２〜４のいずれか１つに記載の光ピックアップ装置。
【請求項６】
ハウジングの壁部の少なくとも一部が間に空間を有する二重構造であり、
前記貫通孔は、前記壁部の空間を介してハウジングの外部と内部とを連通させる請求項１〜４のいずれか１つに記載の光ピックアップ装置。
【請求項７】
ヒータが、前記貫通孔に接続されたパイプの一端の内部に送風用の隙間をもって支持された請求項５に記載の光ピックアップ装置。
【請求項８】
線状のヒータはその横断面が円形であり、パイプは少なくとも前記一端の横断面が多角形である請求項７に記載の光ピックアップ装置。
【請求項９】
光ピックアップ部品の近傍位置に配置された貫通孔は、ハウジングの壁部の厚さ方向に対して斜めに形成された請求項１〜８のいずれか１つに記載の光ピックアップ装置。
【発明の詳細な説明】
【技術分野】
【０００１】
本発明は、ＣＤやＤＶＤなどの光学記録媒体に対する信号の記録、再生、消去を行うことが可能な光ピックアップ装置に関するものであり、特に、自動車等に搭載される耐環境性の高い光ピックアップ装置に関する。
【背景技術】
【０００２】
ＣＤやＤＶＤなどの光学記録媒体に対する信号の記録、再生、消去を行うことが可能な光ピックアップ装置の一例としては、レーザ光を出射する受発光一体型半導体レーザ素子、レーザ素子からのレーザ光を反射するダイクロイックプリズム、ダイクロイックプリズムからのレーザ光を平行光とするコリメートレンズ、コリメートレンズからの平行光を反射する立ち上げミラー、立ち上げミラーからの平行光を上記光学記録媒体の上方記録面上に集光する対物レンズといった光ピックアップ部品を備え、これら光ピックアップ部品はハウジングに収納されている。
【０００３】
このような従来の光ピックアップ装置は、家庭内やオフィス等で使用されるオーディオ機器、ノート型パソコン等の電子機器の他、自動車に搭載されるカーナビゲーションシステムやオーディオ機器等にも用いられている。自動車に搭載されるカーナビゲーションシステムやオーディオ機器に用いられる光ピックアップ装置の場合、周囲温度の変化が大きく、かつ、埃の入りやすい環境であるため、家庭内やオフィス等で使用される電子機器の光ピックアップ装置と比較して、より高い信頼性が求められている。例えば、冬季では、車内を暖房することにより光ピックアップ装置内の空気が温められて光ピックアップ部品に結露による水滴が生じ、光ピックアップ装置が光学記録媒体の情報を正確に再生できなくなる場合があり、結露対策が求められていた。
【０００４】
結露を防止する方法として、例えば特許文献１には、光ピックアップ装置のハウジングの外面に結露防止用のヒータおよび温度センサを取り付け、周囲温度に応じてヒータを作動させてハウジング内を一定の温度に保つ光ピックアップ装置が開示されている。
また、特許文献２では、外部に露出した対物レンズの結露状態を検出することにより、ヒータおよびファンを作動させて対物レンズに温風を吹き付けて結露により生じた水滴を除去するように構成した光ピックアップ装置が開示されている。
また、対物レンズに付着する埃を除去する方法として、例えば特許文献３では、対物レンズの近傍に位置するハウジングの上壁に送風孔を設け、外部に設けたファンから送風孔を通してエアー流を対物レンズに吹き付け、対物レンズに付着した埃を排除する光ピックアップ装置が開示されている。
また、特許文献４では、光ディスクを回転させるモータの駆動軸に羽根を取り付けた構造の送風機が設けられた光ピックアップ装置が開示されており、駆動時に装置内に送風して冷却するようにしている。
【０００５】
【特許文献１】特開昭６２−９９９２５号公報
【特許文献２】実開平６−１９１２３号公報
【特許文献３】特開平６−５２５６８号公報
【特許文献４】特開２００４−１６４７３３号公報
【発明の開示】
【発明が解決しようとする課題】
【０００６】
しかしながら、結露対策として開示された特許文献１の光ピックアップ装置では、装置全体を加熱するために消費電力が大きくなってしまう。また、特許文献２の光ピックアップ装置では、対物レンズの結露状態を検出する結露センサの構造や、対物レンズおよび結露センサを保持するホルダの構造が複雑である。また、特許文献１〜４の光ピックアップ装置では、各種の光ピックアップ部品に対する結露および埃の両方を対策することは開示されていない。
【０００７】
本発明の主たる目的は、薄い簡単な構造で各種の光ピックアップ部品に対する結露防止および結露にて生じた水滴の除去、さらには埃除去をも図ることができる光ピックアップ装置を提供することである。
【課題を解決するための手段】
【０００８】
かくして、本発明によれば、光源およびこの光源からの光を外部の光ディスクの情報記録面上に集光するための光学部品を含む光ピックアップ部品と、壁部にて囲まれ前記光ピックアップ部品を収納するハウジングと、線状のヒータとを備え、前記ハウジングは、前記壁部に貫通孔を有し、前記ヒータは、前記貫通孔に挿入されてハウジング内に露出するように配置された光ピックアップ装置が提供される。
【発明の効果】
【０００９】
本発明によれば、光ピックアップ部品を収納するハウジングの壁部に貫通孔を設け、貫通孔にヒータを通してハウジング内に露出させることにより、光ピックアップ装置全体を厚くすることなくヒータをハウジングの内部に配置することができると共に、ヒータにて各光ピックアップ部品を加熱して結露防止および結露にて生じた水滴の除去を行なうことができる。また、貫通孔を各光ピックアップ部品の近傍に設けることにより、ヒータにて僅かな消費電力で効率よく各光ピックアップ部品を加熱することができる。さらに、別にエアー流発生機を設ければ、エアー流発生機からのエアー流を貫通孔からハウジング内部へ送り、エアー流による各光ピックアップ部品に付着した埃の除去やハウジング内の冷却を図ることが可能となる。つまり、光ピックアップ部品への埃の影響や、環境温度変化による歪みが光ピックアップ部品に影響しないようにすることが可能となる。
【発明を実施するための最良の形態】
【００１０】
本発明の光ピックアップ装置は、光源およびこの光源からの光を外部の光ディスクの情報記録面上に集光するための光学部品を含む光ピックアップ部品と、壁部にて囲まれ前記光ピックアップ部品を収納するハウジングと、線状のヒータとを備え、前記ハウジングは、前記壁部に貫通孔を有し、前記ヒータは、前記貫通孔に挿入されてハウジング内に露出するように配置されたことを特徴とする。
【００１１】
本発明における光ピックアップ装置は、ＣＤやＤＶＤといった光学記憶媒体に対する信号の記録、再生、消去を行うことが可能なものであれば特に限定して適用されるものではない。
本発明において、光源としては、半導体レーザ素子を意味し、レーザ光の波長は特に限定されるものではなく、発光のみするタイプ、発光および受光する受発光一体型のいずれであってもよい。光源が発光のみするタイプの場合、別途受光素子が設けられる。
また、本発明において、光学部品とは、光源からの光を外部の光ディスクの情報記録面上に集光するのみに限らず、光ディスクからの反射光を受光素子に導くものをも包含し、例えばダイクロイックプリズム、コリメートレンズ、立ち上げミラー、対物レンズ、シリンドリカルレンズ等が挙げられる。
本発明において、光ピックアップ部品とは、光源から出射したレーザ光が光ディスクを反射して受光素子に到達するまでに必要な部品を意味し、光源、受光素子および上記の各光学部品を含む。
【００１２】
これら光ピックアップ部品を収納するハウジングは、形状、サイズ、材質等は特に限定されないが、光ピックアップ装置全体を薄型とするためには薄い扁平箱形が好ましく、材料としては例えば亜鉛、アルミニウム等の金属や、遮光性のプラスチックなどが挙げられる。また、ハウジングの製造方法も特に限定されるものではなく、従来公知の方法（例えばダイキャスト法、プレス法、射出成形法等）を用いることができる。
【００１３】
扁平箱形のハウジングの場合、底壁、周囲壁および上壁を有し、上壁の一部に窓部が形成され、この窓部の位置に対物レンズが配置され、その他の光学部品、光源、受光素子等は底壁あるいは周囲壁の所定位置に配置される。そして、ハウジングの底壁、周囲壁および上壁の任意の位置に貫通孔が１つ以上形成され、外部とハウジング内とが連通するように構成されている。具体的には、各光ピックアップ部品の近傍位置に貫通孔を形成することが好ましい。
【００１４】
ハウジングの壁部に貫通孔を形成する方法としては特に限定されず、ドリル加工、レーザ加工等が挙げられ、小径の貫通孔を高精度に形成でき、さらには壁部の厚み方向に対して斜めにも貫通孔を形成できる観点からレーザ加工が好ましく、例えば、パルス幅が短くピークパワーが大きいフェムト秒レーザ（サファイアレーザ（波長８００ｎｍ）、ＹＡＧレーザ（波長１０２９ｎｍ）等）が好ましい。フェムト秒レーザを用いた加工では、ナノ秒などのレーザ加工に比して、様々な材料に対して熱影響が少なく材料のアブレーション閾値が下がる等の利点があるため、微細な孔あけ加工（ホールドリング）や微小領域の切断火口が可能となる。なお、レーザ加工は、フェムト秒レーザ加工と他のレーザ加工との組み合わせでもよい。また、貫通孔の形成は、レーザ加工やドリル加工のみに限らず、例えばハウジング形成における型抜きを利用してもよい。
【００１５】
ヒータとしては、発光しないもので、かつ小径の貫通孔に挿入できるものが好ましく、例えば電熱線（発熱線）が筒体によって被覆された線状のヒータが好ましい。ここで、線状のヒータとは、２本のリード線をヒータの長手方向の両端に有する可撓性のコードヒータ（ワイヤヒータ）や、２本のリード線をヒータの長手方向の一方端に有するカートリッジヒータ等の細長い外観形状のヒータを意味する。
【００１６】
線状のヒータをハウジングに設けた貫通孔に挿入することにより、光ピックアップ部品およびレーザ光に干渉せずにヒータをハウジング内に露出させて内部空間を加熱することができ、特に貫通孔が各光ピックアップ部品の近傍位置に設けることにより、各光ピックアップ部品を直接的に効率よく加熱することができ、結露が生じた場合でも迅速に水滴を除去することが可能となる。
また、ヒータの駆動および停止は、例えば、光ピックアップ装置の駆動開始直前の所定時間内だけヒータを作動させるように予めプログラムしておくことにより行なうことが好ましい。これに加え、例えばタイマーを設けて１日毎、３日毎、１週間毎等に１回乃至２回以上ヒータを自動的に作動させるよう、結露防止の定期作動モードをプログラムしてもよい。
ヒータの発熱温度としては、光ピックアップ部品が熱により悪影響を受けず、かつ結露により生じた水滴が迅速に蒸発する温度であればよい。
【００１７】
本発明の光ピックアップ装置は、ハウジングの外部から貫通孔を通してハウジング内へエアー流を供給するためのエアー流発生機をさらに備えてもよい。エアー流発生機としては、エアー流を発生するものであれば特に限定されず、例えば送風機やエアーポンプ等が挙げられる。エアー発生機にてエアー流をハウジング内に送り込むことにより、ハウジング内を冷却することができ、光ピックアップ装置の長寿命化を図ることができると共に、光ピックアップ部品の表面に付着した埃をエアー流にて吹き飛ばして除去することができる。
【００１８】
エアー流発生機と貫通孔とを接続する方法としては、特に限定されないが、例えば、（１）各貫通孔とエアー流発生機とをそれぞれパイプにて接続する方法や、（２）ハウジングの壁部を間に空間を有する二重構造とし、貫通孔にて壁部の空間を介してハウジングの外部と内部を連通させ、壁部外側の貫通孔とエアー流発生機とを１本のパイプにて接続する方法を採用することができる。
【００１９】
このとき、光ピックアップ装置は駆動時にハウジングが光ディスクの径方向に移動するため、エアー流発生機をハウジングとは別の位置に固定する場合は、前記（１）および（２）においてパイプの少なくともエアー発生機側の部分はハウジングの移動を許容しうる長さの可撓性パイプ（例えばゴム管、プラスチック管）で構成する。一方、エアー発生機を例えばハウジング上に搭載して一体化する場合は、ハウジングと共にエアー発生機が移動するので、前記のようにパイプの一部を可撓性パイプとする必要はないが、エアー流発生機の固定位置に関わらずパイプは全体を可撓性パイプで構成することにより、送風機と貫通孔との接続が簡便となるので好ましい。なお、貫通孔へのパイプの接続は、パイプを貫通孔に差し込み、必要であれば接着剤にて抜止めする方法が簡便である。また、貫通孔から外部に露出したパイプ部分は、ハウジング外部の他部品に干渉しないようハウジングの壁部に接着するか、あるいは結束部材にて結束し、その結束部材をハウジングに接着して固定することが好ましい。
【００２０】
前記（１）および（２）の場合、光ピックアップ部品の近傍位置に配置された貫通孔は、ハウジングの壁部の厚さ方向に対して斜めに形成されるようにしてもよい。このようにすれば、貫通孔からハウジング内へ斜めにエアー流を噴射して容易に光ピックアップ部品に当てることができ、光ピックアップ部品に付着した塵や埃をエアー流にて吹き飛ばして排除することができる。
【００２１】
エアー流発生機からのエアー流は、（Ａ）ヒータが挿入されていない貫通孔を通してハウジング内へ供給してもよく、あるいは（Ｂ）ヒータが挿入された貫通孔を通してハウジング内へ供給してもよい。（Ｂ）の場合、エアー流発生機とヒータの両方を作動させることにより、温風をハウジング内に吹き込むことができ、さらには温風を光ピックアップ部品に吹き当てることができ、光ピックアップ部品に結露が生じた場合はより急速に結露を無くすことができる。
【００２２】
前記（Ｂ）の場合、ヒータが、貫通孔に接続されたパイプの一端の内部に送風用の隙間をもって支持されるように設けられてもよい。この場合、線状のヒータはその横断面が円形であり、パイプは少なくとも貫通孔に挿入された前記一端の横断面が多角形（例えば三角形、四角形、五角形等）であるようにすれば、スペーサといった部材を介さずともヒータをパイプ内に隙間をもって支持することができると共に、パイプの横断面が円形である場合に比してパイプ内面の表面積が増加し、ヒータの熱およびヒータから伝わったパイプの熱を効率よくエアー流に伝えることができる。
【００２３】
エアー流発生機の駆動および停止は、ヒータの場合と同様に、光ピックアップ装置の駆動開始直前の所定時間内だけエアー流発生機を作動させるように予めプログラムしておくことにより行なうことができる。これに加え、例えばタイマーを設けて１日毎、３日毎、１週間毎等に１回乃至２回以上エアー発生機を自動的に作動させる、除塵／温度調整の定期作動モードをプログラムしてもよい。
【００２４】
本発明の光ピックアップ装置において、ハウジングの壁部が、前記のように底壁、周囲壁および底壁と対向する上壁を有する場合、光ピックアップ部品が底壁または上壁に固定され、貫通孔は光ピックアップが固定された反対側の上壁または底壁に形成されてもよい。つまり、底壁に光ピックアップ部品を取り付けた場合は貫通孔を上壁に設け、上壁に光ピックアップ部品を設けた場合は貫通孔を底壁に設けてもよい。このようにすれば、貫通孔の形成位置が光ピックアップ部品によって制限されることがなく、貫通孔形成位置の自由度が広がる。
【００２５】
また、本発明の光ピックアップ装置は、ハウジングの壁部（例えば底壁）の一部に、ハウジング内に流入したエアー流を外部に排気する排気口を有していてもよい。排気口を設けることにより、ハウジング内に埃が蓄積しないよう外部に排出することができると共に、ハウジング内を冷却する場合に効率よく熱を外部に排出することができる。
【００２６】
以下、実施形態を示す図面に基づいて本発明を詳しく説明する。なお、本発明は実施形態に限定されるものではない。
【００２７】
（実施形態１）
図１は本発明の光ピックアップ装置の実施形態１の構成を示す概略側断面図であり、図２は実施形態１の光ピックアップ装置の構成を示す概略平断面図である。
本発明の光ピックアップ装置は、レーザ光Ｒを発光しかつ受光する受発光一体型半導体レーザ素子１０、半導体レーザ素子１０からのレーザ光Ｒを反射するダイクロイックプリズム１１、ダイクロイックプリズム１１からのレーザ光Ｒを平行光とするコリメートレンズ１２、コリメートレンズ１２からの平行光を反射する立ち上げミラー１３および立ち上げミラー１３からの平行光を光学記録媒体である光ディスクＤの情報記録面上に集光する対物レンズ１４といった光ピックアップ部品を備え、これら光ピックアップ部品はハウジング２０に収納されている。なお、光ディスクＤは、図示しないディスク保持回転機構によって保持されている。
【００２８】
複数個の光ピックアップ部品を収納したハウジング２０は、底壁２０ａと周囲壁２０ｂと上壁２０ｃとを有する扁平箱形であり、上壁２０ｃにおける対物レンズ１４が配置される箇所は窓部が形成されている。
【００２９】
半導体レーザ素子１０は、ハウジング２０の周囲壁２０ｂの一部に形成された孔部に嵌め込まれた状態で取り付けられ、半導体レーザ素子１０のリード線は外部の図示しない制御部に接続されている。また、ダイクロイックプリズム１１、コリメートレンズ１２および立ち上げミラー１３は、半導体レーザ素子１０からのレーザ光Ｒを対物レンズ１４に導けるようハウジング２０の底壁２０ａの所定位置に固定されている。
【００３０】
対物レンズ１４は、レンズ設置台１５にて保持されると共に、図示しないコイルが周囲に一体的に設けられている。レンズ設置台１５は、バネ特性を有するワイヤ（図示省略）にてハウジング２０に取り付けられている。また、ハウジング２０内には、保持台１６が設けられており、保持台１６には図示しない永久磁石が設けられている。対物レンズ１４と一体に設けられたコイルに電流を流すことにより、前記永久磁石との間に電磁気力が発生し、光ディスクＤの情報記録面に対する対物レンズ１４の位置が制御される。なお、図１において、符合１７は収差補正用液晶素子であり、液晶素子１７は対物レンズ１４の下でレンズ設置台１５にて保持されている。
【００３１】
ハウジング２０は、光ディスクＤの径方向に移動できるよう、移動機構に取り付けられている。この移動機構は、ハウジング２０の径方向の両側に設けられた一対の固定台３１（図２では一方のみ示す）と、一対の固定台３１の間に平行に設けられたスクリューシャフト３２およびガイドシャフト３３と、スクリューシャフト３２を正逆回転させる図示しないモータと、スクリューシャフト３２に螺着され、外面がハウジング２０に連結されたナット部３４と、ガイドシャフト３３を挿通させ、外面がハウジング２０に連結されたガイド筒部３５とを備える。スクリューシャフト３２が正逆回転することにより、螺進退するナット部３４に連結されたハウジング２０が径方向に往復移動する。なお、実施形態１では、ガイドシャフト３３側のハウジング２０の周囲壁２０ｂを厚くし挿通孔を形成して、周囲壁２０ｂの一部がガイド筒部３５を構成している。
【００３２】
図２に示した一方の固定台３１は、光ディスクＤの内周側に配置されており、この固定台３１に上に後述する送風機を収納したケーシング５０が設けられている。また、固定台３１上には、半導体レーザ素子１０、対物レンズ１４の高さ制御用の前記コイル、ハウジング用の移動機構のモータ、後述するヒータ用の配線等と、直接またはフレキシブル配線基板を介して接続される図示しない制御部が設けられている。
【００３３】
図２および図３に示すように、ハウジング２０は、その底壁２０ａおよび周囲壁２０ｂに複数の貫通孔２１を有している。これらの貫通孔２１は、各光ピックアップ部品の近傍位置に配置されている。貫通孔２１は、１つの光ピックアップ部品に対して２個以上設けられており、１つはヒータを挿入するための貫通孔であり、もう１つは送風機からのエアー流をハウジング２０内へ導入するための貫通孔である。
【００３４】
図３は、対物レンズ１４の近傍位置に設けられた貫通孔２１を示し、この貫通孔２１はハウジング２０の周囲壁２０ｂの上端付近に水平方向に形成され、対物レンズ１４の外周縁に向かって開口している。この貫通孔２１に外部からカートリッジヒータ４１を挿入して先端をハウジング２０内に露出させ、リード線を外部の配線４５に接続している。なお、カートリッジヒータ４１が貫通孔２１から抜け出るおそれがある場合は、接着剤等によって抜け防止を行なってもよい。
【００３５】
図４は、ハウジング２０の底壁２０ａに固定された光ピックアップ部品の近傍位置に設けられた貫通孔２１を示す。なお、光源および各光学部品等を図中では便宜上光ピックアップ部品Ｐとして示す場合がある。
図４に示す貫通孔２１は、底壁２０ａの厚み方向に対して斜めに形成されており、光ピックアップ部品Ｐに向かって開口している。この貫通孔２１に外部からカートリッジヒータ４１を挿入し、リード線を外部の配線４５に接続している。
【００３６】
ヒータとしては、図５および図６に示すように、コードヒータ４２を用いてもよい。図５の場合、コードヒータ４２を折り曲げてリード線側をハウジング２０内から貫通孔２１に通し、レーザ光に干渉しないようにコードヒータ４２の折り曲げ部をハウジング２０内に配置させている。図６の場合、コードヒータ用に一対の貫通孔２１を設け、コードヒータ４２の２本のリード線をハウジング２０内から２つの貫通孔２１にそれぞれ通し、コードヒータ４２を底壁２０ａ上に横たわらせている。
なお、その他の光ピックアップ部品に対しても同様に近傍位置にヒータを配置している。複数個のヒータは配線４５によって並列あるいは直列に接続されるが、１個のヒータが故障や寿命になっても他のヒータを作動でき、かつ各ヒータに等しい電圧を印加できる観点から並列接続が好ましい。
【００３７】
図７〜図９は、図外の送風機とハウジング２０の貫通孔２１とを可撓性パイプ５５にて接続した状態を示している。
図７の場合、貫通孔２１は、ハウジング２０の周囲壁２０ｂの上端付近に水平方向に形成され、対物レンズ１４の上面と略同じ高さ位置で開口している。この貫通孔２１に外部から可撓性パイプ５５の一端を差し込んでいる。これによって、送風機からのエアー流を可撓性パイプ５５および貫通孔２１を通して対物レンズ１４の上面に吹き付け、対物レンズ１４の上面に付着した埃９０を除去することができる。なお、図７において、矢印はエアー流を表している。
【００３８】
また、対物レンズ１４へのエアー流の供給は、図８に示すような貫通孔２１を形成することによっても行なうことができる。この場合、貫通孔２１は、ハウジング２０の底壁２０ａから周囲壁２０ｂの上端付近まで縦方向に形成され、その孔の上端からハウジング内へ向かって直角に折れ曲がって貫通し、対物レンズ１４の上面と略同じ高さ位置に開口している。そして、この貫通孔２１の底壁２０ａ側の開口に可撓性パイプ５５の一端を差し込んでいる。なお、貫通孔２１に差し込んだ可撓性パイプ５５が抜けないように接着剤９１にて抜け止めしてもよい。
【００３９】
一方、図９に示すように、ハウジング２０の底壁２０ａに形成された貫通孔２１にも、図外の送風機と接続された可撓性パイプ５５の一端が差し込まれることにより、底壁２０ａ上の光ピックアップ部品Ｐにエアー流が吹き付けられ、光学面に付着した埃を除去することができる。また、このようにハウジング２０内に供給されるエアー流によって、ハウジング２０内の温度を室温程度に調整することもできる。なお、その他の光ピックアップ部品に対しても同様に貫通孔に可撓性パイプの一端が差し込まれている。
【００４０】
図１０は、送風機５１と可撓性パイプ５５との接続構造の一例を示している。この接続構造は、送風機５１が嵌め込まれる大きい開口部を有する大径部および小さい開口部を有する小径部からなるエアー導入用の上記ケーシング５０と、ケーシング５０の小さい開口部に一端が接続された例えばゴム製の可撓性チューブ５３と、一端側に可撓性チューブ５３と接続する大きい開口部を有し、かつ他端側に複数本の可撓性パイプ５５と接続する複数の小さい開口部５４ａを有するエアー分配管５４とから構成されている。
前記エアー分配管５４は、例えばハウジング２０の底壁２０ａの下面に固着される。可撓性チューブ５３は、ハウジング２０の径方向の移動を許容する長さを有し、ハウジング２０が最内周側に移動する際は撓むことにより移動を妨げない。
【００４１】
このように構成された実施形態１の光ピックアップ装置は、ディスク再生待機状態または終了状態において、図２に示したように最内周側に位置している。この位置において、光ピックアップ装置は、ディスク再生直前に、ヒータ４１、４２や送風機５１が作動し、光ピックアップ部品Ｐに付着した結露による水滴や埃を除去することができる。したがって、ハウジング２０内の温度環境変化や埃の影響を最小限に抑制することができ、高い性能および信頼性が得られると共に、高寿命化が図られる。
【００４２】
このように水滴や埃を除去した後、ディスク再生が行なわれる。ディスク再生に際しては、受発光一体型半導体レーザ素子１０から出射されたレーザ光Ｒ（例えば赤色光）は、ダイクロイックプリズム１１を反射し、コリメートレンズ１２で平行光となった後、立ち上げミラー１３で集光レンズ１４の方向に反射される。立ち上げミラー１３で反射された光は、さらに、液晶素子１７を透過する。この際、光ディスクＤの傾きやディスク板厚のバラツキ等よって発生する収差を液晶の複屈折を利用することによって補正する。液晶素子１７を透過した光は、駆動制御可能なレンズ設置台１５に取り付けられた対物レンズ１４を通過させることで、平行光が収束光となり、記録媒体である光ディスクＤ上の一点で収束し反射される。反射光は再び対物レンズ１４を通過して平行光となり、立ち上げミラー１３で反射され、コリメートレンズ１２を通過し、ダイクロイックプリズム１１で反射して往路と逆の順路で受発光一体型半導体レーザ素子１０に戻る。戻り光は、受発光一体型半導体レーザ素子１０の表面のホログラム素子で回折され受光部に入射し、光信号から電気信号へと変換され、情報の再生・記録・消去やサーボ信号として利用される。
【００４３】
（実施形態２）
上記実施形態１では、ヒータが挿入される貫通孔とパイプが接続される貫通孔を別にした場合を例示したが、図１１に示す実施形態２のように、１つの貫通孔にヒータを挿入しかつパイプを接続するように構成してもよい。なお、図１１において、実施形態１（図１〜図１０）と同一の要素には同一の符合を付している。
【００４４】
以下、実施形態２が実施形態１と異なる点を主として説明する。実施形態２では、図１１（ａ）に示すように、カートリッジヒータ４１が挿入された可撓性パイプ１５５の一端を貫通孔２１に挿入する。このとき、図１１（ｂ）に示すように、カートリッジヒータ４１はその横断面が円形であり、可撓性パイプ１５５は少なくとも前記一端の横断面が多角形（この場合三角形）であり、カートリッジヒータ４１が、貫通孔２１に接続された可撓性パイプ１５５の一端の内部に送風用の隙間１５５ａをもって支持される。なお、カートリッジヒータ４１のリード線は、可撓性パイプ１５５に形成した孔から外部へ出して図外の制御部へ接続すればよい。また、リード線を外部へ出した後の孔はテープなどで塞いでエアー漏れを防止することが好ましい。
【００４５】
このようにすれば、１つの貫通孔２１の位置において、光ピックアップ部品への加熱状態、エアー流の吹き付け状態または温風の吹き付け状態に切り換えることができる。なお、ヒータは、カートリッジヒータ以外にも、図５および図６で説明したコードヒータを各図のような取り付け方法を応用して用いることもできる。
【００４６】
（実施形態３）
上記実施形態１および２では、貫通孔２１に可撓性パイプ５５を接続してハウジング２０内にエアー流を供給する場合を例示したが、図１２に示す実施形態３のように可撓性パイプ５５を用いずにハウジング２００内にエアー流を供給するように構成してもよい。なお、図１２において、実施形態１および２（図１〜図１１）と同一の要素には同一の符合を付している。
【００４７】
以下、実施形態３が実施形態１および２と異なる点を主として説明する。実施形態３の場合、ハウジング２００の底壁２０１を外壁２０１ａと内壁２０１ｂとで構成し、それらの間に空間Ｓを有する二重構造に形成する。
具体的には、例えば内壁２０１ｂとして各光ピックアップ部品Ｐを搭載するための平坦な板材を用い、この板材の各光ピックアップ部品Ｐを固定する所定位置の近傍位置に貫通孔２１１を形成し、その後、板材上に各光ピックアップ部品Ｐを固定し、貫通孔２１１に例えばカートリッジヒータ４１を挿入し、そのリード線を板材の下面側で配線４５と接続して、ユニットを作製する。このとき、図１２に示すように、貫通孔２１１の内径をヒータの外径よりも大きくして送風用の隙間を形成してもよく、あるいは図示しないが貫通孔２１１の内径をヒータの外径と略等しくし、複数の貫通孔のうちヒータ挿入用とヒータを挿入しない送風用とに分けてもよい。
【００４８】
このユニットをハウジング２００の外壁２０１ａの上方に空間Ｓを確保した状態で水平に配置する。空間Ｓを確保するために、図１２のように外壁２０１ａの隅に段部やスペーサを設ければよい。なお、予めハウジング２００の周囲壁２０２における空間Ｓが位置する部分（例えば送風機側）には、配線４５を外部へ出す貫通孔と、上述の可撓性チューブ（図１０参照）を介して外部の送風機と接続するための貫通孔とが形成されている。
【００４９】
このように構成することによって、送風機からのエアー流がハウジング２００の底壁２０１内の空間Ｓを通って貫通孔２１１から光ピックアップ部品Ｐに吹き付けられる。図１２の場合、さらにヒータを作動させれば、貫通孔２１１から温風が吹き出される。なお、ヒータは、カートリッジヒータ以外にも、図５および図６で説明したコードヒータを各図の取り付け方法を応用して用いることができる。
【００５０】
（実施形態４）
上記実施形態１〜３では、ハウジングの底壁に貫通孔を形成した場合を例示したが、図１３に示す実施形態４のようにハウジング２２０の上壁２２３に貫通孔２２５を形成してもよい。なお、図１３において、実施形態１〜３（図１〜図１２）と同一の要素には同一の符合を付している。
【００５１】
以下、実施形態４が実施形態１〜３と異なる点を主として説明する。実施形態４の場合、ハウジング２２０の底壁２２１および周囲壁（図示省略）を一体的に形成し、平板状の上壁２２３を周囲壁の開口部にビスや接着等により水平に後付けする。この上壁２２３には、ハウジング２２０内の底壁２２１上の各光ピックアップ部品Ｐの近傍位置に複数の貫通孔２２５が設けられている。そして、これらの貫通孔２２５に、図４および図９で説明したようにヒータ（この場合、カートリッジヒータ４１）および可撓性パイプ５５が取り付けられる。
【００５２】
このようにすれば、上壁２２３において貫通孔２２５の形成位置が光ピックアップ部品Ｐによって制限されることがないため、ヒータおよびパイプの取り付け位置の自由度が広がる。なお、ヒータは、カートリッジヒータ以外にも、図５および図６で説明したコードヒータを各図の取り付け方法を応用して用いることができる。
【００５３】
（実施形態５）
上記実施形態１〜４では、ハウジングの底壁に光ピックアップ部品を固定した場合を例示したが、図１４に示す実施形態５のようにハウジング２２０の上壁２２３に光ピックアップ部品Ｐを固定してもよい。つまり、図１３を上下反転させた構造にしてもよい。なお、図１４において、実施形態１〜４（図１〜図１３）と同一の要素には同一の符合を付している。
【００５４】
以下、実施形態５が実施形態１〜４と異なる点を主として説明する。実施形態５の場合、ハウジング２２０は、実施形態４と同様の、上壁２２３が周囲壁（図示省略）の開口部に後付けされるものであって、底壁２２１の所定位置に複数の貫通孔２２６が形成されたものが用いられる。一面の所定位置に各光ピックアップ部品を固定した上壁２２３を、光ピックアップ部品Ｐを下に向けて周囲壁の上端面に水平に取り付け、かつ図４および図９で説明したように底壁２２１の各貫通孔２２５にヒータ（この場合、カートリッジヒータ４１）および可撓性パイプ５５を取り付けることにより、各光ピックアップ部品Ｐの近傍位置にヒータおよびエアー流吹き出し口が配置される。
【００５５】
このようにすれば、底壁２２１において貫通孔２２６の形成位置が光ピックアップ部品Ｐによって制限されることがないため、ヒータおよびパイプの取り付け位置の自由度が広がる。なお、ヒータは、カートリッジヒータ以外にも、図５および図６で説明したコードヒータを各図の取り付け方法を応用して用いることができる。
【００５６】
（他の実施形態）
１．図１３および図１４の実施形態４および５では、ヒータと可撓性パイプを取り付ける貫通孔を別のものとした場合を例示したが、図１１で説明したように、１つの貫通孔にヒータと可撓性パイプの両方を取り付けて温風を吹き出せるようにしてもよい。
２．図１３および図１４の実施形態４および５では、貫通孔に可撓性パイプを接続してハウジング内にエアー流を供給する場合を例示したが、図１２で説明したように可撓性パイプを用いず、ハウジングの上壁または底壁を間に空間を有する二重構造に構成して、外部の送風機からのエアー流を上壁または底壁の空間を通してハウジング内に供給するようにしてもよい。
【図面の簡単な説明】
【００５７】
【図１】本発明の光ピックアップ装置の実施形態１の構成を示す概略側断面図である。
【図２】実施形態１の光ピックアップ装置の構成を示す概略平断面図である。
【図３】実施形態１における対物レンズの近傍位置に設けられた貫通孔へのヒータの取    付構造を示す概略側断面図である。
【図４】実施形態１における光ピックアップ部品の近傍位置に設けられた貫通孔へのヒ    ータの第１の取付構造を示す概略側断面図である。
【図５】実施形態１における光ピックアップ部品の近傍位置に設けられた貫通孔へのヒ    ータの第２の取付構造を示す概略側断面図である。
【図６】実施形態１における光ピックアップ部品の近傍位置に設けられた貫通孔へのヒ    ータの第３の取付構造を示す概略側断面図である。
【図７】実施形態１における対物レンズの近傍位置に設けられた貫通孔への可撓性パイ    プの第１の取付構造を示す概略側断面図である。
【図８】実施形態１における対物レンズの近傍位置に設けられた貫通孔への可撓性パイ    プの第２の取付構造を示す概略側断面図である。
【図９】実施形態１における光ピックアップ部品の近傍位置に設けられた貫通孔への可    撓性パイプの取付構造を示す概略側断面図である。
【図１０】実施形態１における送風機と可撓性パイプとの接続構造を示す概略平断面図    である。
【図１１】実施形態２における光ピックアップ部品の近傍位置に設けられた貫通孔へのヒータおよび可撓性パイプの取付構造の概略側断面図（ａ）および可撓性パイプを軸方向からみた図（ｂ）である。
【図１２】実施形態３におけるハウジングの内部を示す概略側断面図である。
【図１３】実施形態４における光ピックアップ部品の近傍位置に設けられた貫通孔への    ヒータおよび可撓性パイプの取付構造を示す概略側断面図である。
【図１４】実施形態５における光ピックアップ部品の近傍位置に設けられた貫通孔への    ヒータおよび可撓性パイプの取付構造を示す概略側断面図である。
【符号の説明】
【００５８】
１０  受発光一体型半導体レーザ素子（光源）
１１  ビームスプリッター
１２  コリメートレンズ
１３  立ち上げミラー
１４  対物レンズ
１７  収差補正用液晶素子
２０、２００、２２０  ハウジング
２１、２１１、２２５  貫通孔
４１  カートリッジヒータ
４２  コードヒータ
５１  送風機
５５  可撓性パイプ
Ｄ  ディスク
Ｐ  光ピックアップ部品
Ｒ  レーザ光
【図１】
2007073097.tif 000003
【図２】
2007073097.tif 000004
【図３】
2007073097.tif 000005
【図４】
2007073097.tif 000006
【図５】
2007073097.tif 000007
【図６】
2007073097.tif 000008
【図７】
2007073097.tif 000009
【図８】
2007073097.tif 000010
【図９】
2007073097.tif 000011
【図１０】
2007073097.tif 000012
【図１１】
2007073097.tif 000013
【図１２】
2007073097.tif 000014
【図１３】
2007073097.tif 000015
【図１４】
2007073097.tif 000016